(57)【要約】【課題】  照明兼用投影装置では、光路にある光源手段や拡散手段、変調手段は、それぞれの状態を変化させるための時間が異なるので、装置の動作状態が遷移するときに異常な投影光や照明光が発生することがある。【解決手段】  本発明の投影装置は、光路に光を出力する光源と、前記光路に出力された光を変調する変調手段と、前記変調された光を拡散する拡散手段と、前記拡散手段の状態を変更する場合に前記光源の出力が小さくなるよう制御する制御手段と、を有することを特徴とする。【選択図】  図２
2019075662.tif 000002
【特許請求の範囲】
【請求項１】
光路に光を出力する光源と、
前記光路に出力された光を変調する変調手段と、
前記変調された光を拡散する拡散手段と、
前記拡散手段の状態を変更する場合に前記光源の出力が小さくなるよう制御する制御手段と、
を有することを特徴とする投影装置。
【請求項２】
さらに、前記制御手段は前記拡散手段の状態の変更の後に前記光源を出力が大きくなるよう制御することを特徴とする請求項１に記載の投影装置。
【請求項３】
さらに、前記拡散手段が光を拡散する状態であるか拡散しない状態であるかを検出する検出手段を有し、
前記検出手段が光を拡散する状態であることを検出した場合には、前記制御手段は、前記光源の出力が小さくなるよう制御することを特徴とする請求項１または２に記載の照明兼用投影装置。
【請求項４】
光路に光を出力する光源と、
前記光路に出力された光を変調する変調手段と、
前記変調された光を拡散する拡散手段と、
前記拡散手段の状態を変更する場合に前記変調手段から出力される光が暗くなるよう制御する制御手段と、
を有することを特徴とする投影装置。
【請求項５】
さらに、前記制御手段は前記拡散手段の状態の変更の後に前記変調手段から出力される光を明るくなるよう制御することを特徴とする請求項４に記載の投影装置。
【請求項６】
さらに、前記拡散手段が光を拡散する状態であるか拡散しない状態であるかを検出する検出手段を有し、
前記検出手段が光を拡散する状態であることを検出した場合には、前記制御手段は、前記変調手段から出力される光が暗くなるよう制御することを特徴とする請求項４または５に記載の投影装置。
【請求項７】
前記拡散手段は、電気的に光の拡散の度合いを制御可能な素子を含むことを特徴とする請求項１〜６のいずれか１項に記載の投影装置。
【請求項８】
前記拡散手段が変調された光を拡散する状態と拡散しない状態とを、機械的に切り替え可能であることを特徴とした請求項１〜７のいずれか１項に記載の投影装置。
【請求項９】
光路に光を出力する光源と、前記光路に出力された光を変調する変調手段と、前記変調された光を拡散する拡散手段とを有する投影装置の制御方法であって、
前記拡散手段の状態を変更する工程と、
前記拡散手段の状態を変更する場合に前記光源の出力が小さくなるよう制御する制御工程と、
を有することを特徴とする制御方法。
【請求項１０】
光路に光を出力する光源と、前記光路に出力された光を変調する変調手段と、前記変調された光を拡散する拡散手段とを有する投影装置の制御方法であって、
前記拡散手段の状態を変更する工程と、
前記拡散手段の状態を変更する場合に前記変調手段から出力される光が暗くなるよう制御する制御工程と、
を有することを特徴とする制御方法。
【発明の詳細な説明】
【技術分野】
【０００１】
本発明は、映像を投影するだけでなく照明することも可能な投影装置に関するものである。
【背景技術】
【０００２】
従来、照明兼用投影装置として、照明装置として動作するときは、光路の途中に光を拡散させる拡散板を挿入して拡散状態とし、投影装置として動作するときは、光路の途中から拡散板を退避して非拡散状態とするものが知られている。また、照明兼用投影装置として、照明装置として動作するときは、光路の途中の高分子分散型液晶（ＰＤＬＣ）による拡散板を拡散状態として、投影装置として動作するときは、光路の途中の拡散板を透過状態とするものが知られている（特許文献１）。この高分子分散型液晶（ＰＤＬＣ）は、電気的に光の拡散の度合いを制御可能な素子であり、電源を供給されていない時に拡散状態となるものが知られている。
【先行技術文献】
【特許文献】
【０００３】
【特許文献１】特開２０１４−２１４２９号公報
【発明の概要】
【発明が解決しようとする課題】
【０００４】
しかしながら、上記の照明兼用投影装置では、光路にある光源手段や拡散手段、変調手段は、それぞれの状態を変化させるための時間が異なるので、装置の動作状態が遷移するときに、使用者の意図しない異常な投影光や照明光が発生することがある。
【０００５】
このような異常光が使用者により視認されることは、好ましくない。
【課題を解決するための手段】
【０００６】
上記課題を解決するために、本発明による投影装置では、光路にある拡散手段の状態を変更する場合に、光源を出力が小さくなるよう制御することを特徴とする。
【０００７】
また、本発明による投影装置では、光路にある拡散手段の状態を変更する場合に、変調手段から出力される光が暗くなるよう制御することを特徴とする。
【発明の効果】
【０００８】
本発明による照明兼用投影装置では、上記制御手段を設けたことにより、装置の動作状態が遷移するときに、異常な投影光や照明光を使用者により視認されてしまう不都合を防止、もしくは軽減することができる。
【図面の簡単な説明】
【０００９】
【図１】本発明による照明兼用投影装置のブロック図である。
【図２】本発明による照明兼用投影装置の制御部のフローチャートである。
【図３】本発明による照明兼用投影装置のタイムチャートである。
【図４】本発明による照明兼用投影装置のブロック図である。
【図５】本発明による照明兼用投影装置の制御部のフローチャートである。
【図６】本発明による照明兼用投影装置のタイムチャートである。
【発明を実施するための形態】
【００１０】
本発明による照明兼用投影装置を実施例により説明する。
【００１１】
＜第１の実施例＞
図１は、本発明による照明兼用投影装置のブロック図である。
【００１２】
以下、図１における各ブロックについて説明する。
【００１３】
１１０は白色ＬＥＤにより、光路に光を出力する光源である。
【００１４】
１２０は透過型の液晶パネルによる変調パネルである。
【００１５】
１３０は高分子分散型液晶による拡散パネルであって、電源を供給されていない時に拡散状態となり、電気的な制御で拡散の度合いを制御可能なＰＤＬＣを想定している。
【００１６】
１１１は光源１１０を駆動する光源駆動回路である。
【００１７】
１２１は外部から映像ストリームを受信する映像受信回路である。映像受信回路１２１は、映像ストリームを受信すると制御回路１５０に通知する。
【００１８】
１２２は映像ストリームを再生して映像信号を出力する映像再生回路である。
【００１９】
１２３は映像信号に基づいて変調パネル１２０を駆動する変調パネル駆動回路である。
【００２０】
１３１は拡散パネル１３０を駆動する拡散パネル駆動回路である。
【００２１】
１５０は光源駆動回路１１１、映像再生回路１２２、拡散パネル駆動回路１３１を制御する制御回路である。
【００２２】
１５１はユーザーからの指示を受けるリモコン受信回路である。リモコン受信回路１５１は、ユーザーが不図示のリモコンを操作した信号を受信すると制御回路１５０に通知する。
【００２３】
図２は、本発明による照明兼用投影装置の制御部のフローチャートである。
【００２４】
以下、図１〜２を参照しながら、本装置の動作を説明する。
【００２５】
まず、本装置に電源が供給されて、初期化動作を行い、電源オフ状態になるまでの動作を説明する。
【００２６】
制御回路１５０は、電源が供給されると動作を開始する（ステップＳ２００）。
【００２７】
まず、制御回路１５０は、拡散パネルを拡散状態へ変更する前に、光源駆動回路１１１を制御して、光源１１０を消灯する（ステップＳ２１０）。
【００２８】
また、制御回路１５０は、拡散パネル駆動回路１３１を制御して、拡散パネル１３０を拡散状態にする（ステップＳ２１１）。
【００２９】
以上の動作により、本装置は、初期化され電源オフ状態となる。
【００３０】
次に、電源オフ状態の動作を説明する。
【００３１】
まず、制御回路１５０は、ユーザーが電源ボタンを操作したことを通知されると、ステップＳ２３０に分岐して、照明オン状態への移行を開始する（ステップＳ２２０）。
【００３２】
また、制御回路１５０は、映像受信回路１２１から映像ストリームの受信が開始したことを通知されると、ステップＳ２６１に分岐して、投影オン状態への移行を開始する（ステップＳ２２１）。
【００３３】
そして、制御回路１５０は、いずれかを通知されるまで、電源オフ状態を維持する（ステップＳ２２０〜Ｓ２２１）。
【００３４】
次に、電源オフ状態から照明オン状態になるまでの動作を説明する。
【００３５】
電源オフ状態では、拡散パネル１３０は拡散状態となっている。
【００３６】
もし、電源が供給されていないときに透過状態となる拡散パネルの場合は、ここで、拡散パネルに電源を供給するよう制御して拡散状態への変更がなされる。
【００３７】
照明オン状態への移行を開始した制御回路１５０は、映像再生回路１２２を制御して、白画像の映像信号を出力させる。
【００３８】
そして、変調パネル駆動回路１２３によって、変調パネル１２０を駆動して、光源１１０からの光を白画像とする。
【００３９】
さらに、制御回路１５０は、光源駆動回路１１１を制御して、光源１１０を点灯する（ステップＳ２３０）。
【００４０】
以上の動作により、本装置は、電源オフ状態から照明オン状態となる。
【００４１】
次に、照明オンの状態からの動作を説明する。
【００４２】
まず、制御回路１５０は、映像受信回路１２１から映像ストリームを受信して映像の再生を開始することを通知されると、ステップＳ２６０に分岐して、投影オン状態への移行を開始する（ステップＳ２４０）。そうでない場合には、ステップＳ２４１へ移行する。
【００４３】
Ｓ２４１では、制御回路１５０は、ユーザーが電源ボタンを操作したことを通知されると、ステップＳ２５０に分岐して、照明オフ状態への移行を開始する（ステップＳ２４１）。
【００４４】
そして、制御回路１５０は、いずれかを通知されるまで、照明オン状態を維持する（ステップＳ２４０〜Ｓ２４１）。
【００４５】
次に、照明オン状態から電源オフ状態になるまでの動作を説明する。
【００４６】
電源オフ状態への移行を開始した制御回路１５０は、拡散パネルの拡散状態を変更する前に、光源駆動回路１１１を制御して、光源１１０を消灯する。そして、ステップＳ２２０に分岐して電源オフ状態となる（ステップＳ２５０）。
【００４７】
次に、電源オフ状態から投影オン状態になるまでの動作を説明する。
【００４８】
投影オン状態への移行を開始した制御回路１５０は、拡散パネル駆動回路１３１を制御して、拡散パネル１３０を透過状態にする（ステップＳ２６１）。
【００４９】
そして、制御回路１５０は、拡散パネルの拡散状態を変更した後に、映像再生回路１２２を制御して、黒画像の映像信号を出力させる。
【００５０】
そして、変調パネル駆動回路１２３によって、変調パネル１２０を駆動して、光源１１０からの光を黒画像とする。
【００５１】
そして、制御回路１５０は、光源駆動回路１１１を制御して、光源１１０を点灯する。
【００５２】
最後に、制御回路１５０は、映像再生回路１２２を制御して、映像受信回路１２１からの映像ストリームを再生させ映像信号を出力させる。
【００５３】
そして、変調パネル駆動回路１２３によって、変調パネル１２０を駆動して、光源１１０からの光を再生画像とする（ステップＳ２３０）。
【００５４】
以上の動作により、本装置は、電源オフ状態から投影オン状態となる。
【００５５】
次に、照明オン状態から投影オン状態になるまでの動作を説明する。
【００５６】
投影オン状態への移行を開始した制御回路１５０は、拡散パネルの拡散状態を変更する前に、光源駆動回路１１１を制御して、光源１１０を消灯する（ステップＳ２６０）。
【００５７】
以下は、電源オフ状態から投影オン状態になるまでの動作を行う（ステップＳ２６０〜Ｓ２６２）。
【００５８】
以上の動作により、本装置は、照明オン状態から投影オン状態となる。
【００５９】
次に、投影オン状態の動作を説明する。
【００６０】
まず、制御回路１５０は、ユーザーが電源ボタンを操作したことを通知されると、ステップＳ２１０に分岐して、電源オフ状態への移行を開始する（ステップＳ２７０）。
【００６１】
また、制御回路１５０は、映像受信回路１２１から映像ストリームの受信が中止したことを通知されると、ステップＳ２８０に分岐して、照明オン状態への移行を開始する（ステップＳ２７１）。
【００６２】
そして、制御回路１５０は、いずれかを通知されるまで、投影オン状態を維持する（ステップＳ２７０〜Ｓ２７１）。
【００６３】
次に、投影オン状態から電源オフ状態になるまでの動作を説明する。
【００６４】
電源オフ状態への移行を開始した制御回路１５０は、初期化の動作を行う（ステップＳ２１０〜Ｓ２１１）。
【００６５】
その動作により、本装置は、初期化され電源オフ状態となる。
【００６６】
次に、投影オン状態から照明オン状態になるまでの動作を説明する。
【００６７】
また、照明オン状態への移行を開始した制御回路１５０は、拡散パネルの拡散状態を変更する前に、光源駆動回路１１１を制御して、光源１１０を消灯する（ステップＳ２８０）。
【００６８】
そして、制御回路１５０は、拡散パネル駆動回路１３１を制御して、拡散パネル１３０を拡散状態にする（ステップＳ２８１）。
【００６９】
以下、電源オフ状態から照明オン状態になるまでの動作を行う（ステップＳ２３０）。
【００７０】
以上の動作により、本装置は、投影オン状態から照明オン状態となる。
【００７１】
図３は、本発明による照明兼用投影装置のタイムチャートである。
【００７２】
以下、図３を参照しながら、拡散パネル１３０の状態と変調パネル１２０の状態と光源１１０の状態との関係を説明する。Ｔ３１０までは、電源オフ状態である。
【００７３】
Ｔ３１０からＴ３２０までは、電源オフ状態から照明オン状態への遷移である。
【００７４】
Ｔ３１１の時点では、拡散パネル１３０は拡散状態で、変調パネル１２０は白画像を変調していて、光源１１０は消灯している。
【００７５】
そして、Ｔ３２０の時点では、光源１１０が点灯するので、白色の拡散された光が出力される。
【００７６】
Ｔ３２０からＴ３２１までは、照明オン状態である。
【００７７】
Ｔ３２１からＴ３３０までは、照明オン状態から投影オン状態への遷移である。
【００７８】
Ｔ３２２の時点では、拡散パネル１３０は拡散状態で、変調パネル１２０は黒画像または再生画像を変調していて、光源１１０は消灯している。
【００７９】
Ｔ３２３の時点では、拡散パネル１３０は透過状態となる。
【００８０】
そして、Ｔ３３０の時点では、光源１１０が点灯するので、黒画像または再生画像の拡散されていない光が出力される。
【００８１】
Ｔ３３０からＴ３３１までは、投影オン状態である。
【００８２】
Ｔ３３１からＴ３４０までは、投影オン状態から照明オン状態への遷移である。
【００８３】
Ｔ３３２の時点では、拡散パネル１３０は透過状態で、変調パネル１２０は黒画像または再生画像を変調していて、光源１１０は消灯している。
【００８４】
Ｔ３３３の時点では、拡散パネル１３０は拡散状態で、変調パネル１２０は白画像を変調していて、光源１１０は消灯している。
【００８５】
そして、Ｔ３４０の時点では、光源１１０が点灯するので、白色の拡散された光が出力される。
【００８６】
Ｔ３４０からＴ３４１までは、照明オン状態である。
【００８７】
Ｔ３４１からＴ３５０までは、照明オン状態から電源オフ状態への遷移である。
【００８８】
Ｔ３４２の時点では、拡散パネル１３０は拡散状態で、変調パネル１２０は白画像を変調していて、光源１１０は消灯している。
【００８９】
そして、Ｔ３５０の時点では、変調パネル１２０がオフされて、電源オフ状態となる。
【００９０】
以上、説明したように、本発明による照明兼用投影装置では、拡散パネル１３０を拡散状態と透過状態の間を遷移する場合に光源１１０を消灯している。なお、この時、光源を完全に消灯せずに、十分に暗い所定の明度となるようにしてもよい。また、変調パネル１２０の変調が白画像と動画などの再生画像との間で状態が替わるときに光源１１０を消灯している。
【００９１】
なお、この時、光源を完全に消灯せずに、十分に暗い所定の明度となるようにしてもよい。
【００９２】
上記制御することにより、拡散されていない白画像や拡散された再生画像といった、異常な照明光や投影光の発生を防ぐことができる。
【００９３】
＜第２の実施例＞
図４は、本発明による照明兼用投影装置のブロック図である。
【００９４】
以下、図４における各ブロックについて説明する。
【００９５】
４１０は高圧水銀ランプにより光路に光を出力する光源である。
【００９６】
４２０は透過型の液晶パネルによる変調パネルである。
【００９７】
４３０は機械的に移動することにより、拡散板が光路の途中に入る場合と、光路外に退避する場合とを制御可能な可動式拡散板である。
【００９８】
４４０は可動式拡散板４３０の位置や方向を変更可能な拡散板駆動機構である。
【００９９】
４１１は光源４１０を駆動する光源駆動回路である。
【０１００】
４２１は外部から映像ストリームを受信する映像受信回路である。映像受信回路４２１は、映像ストリームを受信すると制御回路４５０に通知する。
【０１０１】
４２２は映像ストリームを再生して映像信号を出力する映像再生回路である。
【０１０２】
４２３は映像信号に基づいて変調パネル４２０を駆動する変調パネル駆動回路である。
【０１０３】
４４１は拡散板駆動機構４４０を駆動する拡散板駆動回路である。
【０１０４】
４４２は可動式拡散板４３０の位置や方向を検出する拡散板検出回路である。拡散板検出回路４４２は、可動式拡散板４３０の位置や方向が有効な状態であるか無効な状態であるか、どちらでもないかを判定する。
【０１０５】
４５０は光源駆動回路４１１、映像再生回路４２２、拡散板駆動回路４４１を制御する制御回路である。
【０１０６】
４５１はユーザーからの指示を受けるリモコン受信回路である。リモコン受信回路４５１は、ユーザーが不図示のリモコンを操作した信号を受信すると制御回路４５０に通知する。
【０１０７】
図５は、本発明による照明兼用投影装置の制御部のフローチャートである。
【０１０８】
以下、図４〜５を参照しながら、本装置の動作を説明する。
【０１０９】
まず、本装置に電源が供給されて、初期化動作を行い、電源オフ状態になるまでの動作を説明する。
【０１１０】
制御回路４５０は、電源が供給されると動作を開始する（ステップＳ５００）。
【０１１１】
まず、制御回路４５０は、映像再生回路４２２を制御して、黒画像の映像信号を出力させる。そして、変調パネル駆動回路４２３によって、変調パネル４２０を駆動して、光源４１０からの光を黒画像とする。
【０１１２】
また、制御回路４５０は、可動式拡散板４３０の状態を変更する前に、光源駆動回路４１１を制御して、光源４１０を消灯する（ステップＳ５１０）。
【０１１３】
そして、制御回路４５０は、拡散板駆動回路４４１を制御して、可動式拡散板４３０を有効な状態にする（ステップＳ５１１）。
【０１１４】
以上の動作により、本装置は、初期化され電源オフ状態となる。
【０１１５】
次に、電源オフ状態の動作を説明する。
【０１１６】
まず、制御回路４５０は、ユーザーが電源ボタンを操作したことを通知されると、ステップＳ５３０に分岐して、照明オン状態への移行を開始する（ステップＳ５２０）。
【０１１７】
また、制御回路４５０は、映像受信回路４２１から映像ストリームの受信が開始したことを通知されると、ステップＳ５６０に分岐して、投影オン状態への移行を開始する（ステップＳ５２１）。
【０１１８】
そして、制御回路４５０は、いずれかを通知されるまで、電源オフ状態を維持する（ステップＳ５２０〜Ｓ５２１）。
【０１１９】
次に、電源オフ状態から照明オン状態になるまでの動作を説明する。
【０１２０】
電源オフ状態では、初期化動作（ステップＳ５１０〜Ｓ５１１）により可動式拡散板４３０は有効な状態となっている。
【０１２１】
照明オン状態への移行を開始した制御回路４５０は、光源駆動回路４１１を制御して、光源４１０を点灯する。
【０１２２】
光源４１０から安定した光が出力されるまでには所定の時間を要するが、照明として利用するので安定するまで待たなくてもよい。
【０１２３】
また、映像再生回路４２２を制御して、白画像の映像信号を出力させる。
【０１２４】
そして、変調パネル駆動回路４２３によって、変調パネル４２０を駆動して、光源４１０からの光を白画像とする（ステップＳ５３０）。
【０１２５】
以上の動作により、本装置は、電源オフ状態から照明オン状態となる。
【０１２６】
次に、照明オン状態の動作を説明する。
【０１２７】
まず、制御回路４５０は、映像受信回路４２１から映像ストリームを受信して映像の再生を開始することを通知されると、ステップＳ５６０に分岐して、投影オン状態への移行を開始する（ステップＳ５４０）。
【０１２８】
また、制御回路４５０は、ユーザーが電源ボタンを操作したことを通知されると、ステップＳ５５０に分岐して、照明オフ状態への移行を開始する（ステップＳ５４１）。
【０１２９】
そして、制御回路４５０は、いずれかを通知されるまで、照明オン状態を維持する（ステップＳ５４０〜Ｓ５４１）。
【０１３０】
次に、照明オン状態から電源オフ状態になるまでの動作を説明する。
【０１３１】
電源オフ状態への移行を開始した制御回路４５０は、制御回路４５０は、映像再生回路４２２を制御して、黒画像の映像信号を出力させる。そして、変調パネル駆動回路４２３によって、変調パネル４２０を駆動して、光源４１０からの光を黒画像とする。
【０１３２】
また、制御回路４５０は、光源駆動回路４１１を制御して、光源４１０を消灯する。
【０１３３】
そして、ステップＳ５２０に分岐して電源オフ状態となる（ステップＳ５５０）。
【０１３４】
次に、電源オフ状態から投影オン状態になるまでの動作を説明する。
【０１３５】
制御回路４５０は、可動式拡散板４３０の状態を変更する前に、投影オン状態への移行を開始した制御回路４５０は、映像再生回路４２２を制御して、黒画像の映像信号を出力させる。
【０１３６】
そして、変調パネル駆動回路４２３によって、変調パネル４２０を駆動して、光源４１０からの光を黒画像とする。
【０１３７】
そして、制御回路４５０は、光源駆動回路４１１を制御して、光源４１０を点灯する（ステップＳ５６０）。
【０１３８】
光源４１０から安定した光が出力されるまでには所定の時間を要する。
【０１３９】
次に、制御回路４５０は、拡散板駆動回路４４１を制御して、可動式拡散板４３０を無効な状態にする（ステップＳ５６１）。
【０１４０】
最後に、制御回路４５０は、可動式拡散板４３０の状態を変更が完了した後に、映像再生回路４２２を制御して、映像受信回路４２１からの映像ストリームを再生させ映像信号を出力させる。
【０１４１】
そして、変調パネル駆動回路４２３によって、変調パネル４２０を駆動して、光源４１０からの光を再生画像とする（ステップＳ５６２）。
【０１４２】
以上の動作により、本装置は、電源オフ状態から投影オン状態となる。
【０１４３】
次に、照明オン状態から投影オン状態になるまでの動作を説明する。
【０１４４】
この動作は、電源オフ状態から投影オン状態になるまでの動作と同様である（ステップＳ５６０〜Ｓ２６２）。
【０１４５】
以上の動作により、本装置は、照明オン状態から投影オン状態となる。
【０１４６】
次に、投影オン状態の動作を説明する。
【０１４７】
まず、制御回路４５０は、ユーザーが電源ボタンを操作したことを通知されると、ステップＳ５１０に分岐して、電源オフ状態への移行を開始する（ステップＳ５７０）。
【０１４８】
また、制御回路４５０は、映像受信回路４２１から映像ストリームの受信が中止したことを通知されると、ステップＳ５８０に分岐して、照明オン状態への移行を開始する（ステップＳ５７１）。
【０１４９】
そして、制御回路４５０は、いずれかを通知されるまで、投影オン状態を維持する（ステップＳ５７０〜Ｓ５７１）。
【０１５０】
次に、投影オン状態から電源オフ状態になるまでの動作を説明する。
【０１５１】
電源オフ状態への移行を開始した制御回路４５０は、初期化の動作を行う（ステップＳ５１０〜Ｓ５１１）。
【０１５２】
その動作により、本装置は、初期化され電源オフ状態となる。
【０１５３】
次に、投影オン状態から照明オン状態になるまでの動作を説明する。
【０１５４】
照明オン状態への移行を開始した制御回路４５０は、制御回路４５０は、可動式拡散板４３０の状態を変更する前に、映像再生回路４２２を制御して、黒画像の映像信号を出力させる。そして、変調パネル駆動回路４２３によって、変調パネル４２０を駆動して、光源４１０からの光を黒画像とする（ステップＳ５８０）。
【０１５５】
次に、制御回路４５０は、拡散板駆動回路４４１を制御して、可動式拡散板４３０を有効な状態にする（ステップＳ５８１）。
【０１５６】
以下、電源オフ状態から照明オン状態になるまでの動作を行う（ステップＳ５３０）。
【０１５７】
以上の動作により、本装置は、投影オン状態から照明オン状態となる。
【０１５８】
図６は、本発明による照明兼用投影装置のタイムチャートである。
【０１５９】
Ｔ６１０までは、電源オフ状態である。
【０１６０】
Ｔ６１０からＴ６２０までは、電源オフ状態から照明オン状態への遷移である。
【０１６１】
制御回路４５０は、拡散板検出回路４４２で可動式拡散板４３０の位置を検出させる。
【０１６２】
そして、可動式拡散板４３０の位置が、拡散が有効な状態で無い場合は、拡散板駆動回路４４１を制御して、拡散板駆動機構４４０によって、可動式拡散板４３０は有効の状態に初期化される（検出点Ｐ６６０）。
【０１６３】
Ｔ６１１の時点では、光源４１０が消灯しているので、光は出力されない。
【０１６４】
Ｔ６１２の時点では、光源４１０は点灯しているが、変調パネル４２０は黒画像を変調しているので、光は出力されない。
【０１６５】
Ｔ６２０の時点では、光源４１０は点灯していて、変調パネル４２０は白画像を変調していて、可動式拡散板４３０が有効な状態なので、白色の拡散された光が出力される。
【０１６６】
Ｔ６２０からＴ６２１までは、照明オン状態である。
【０１６７】
Ｔ６２１からＴ６３０までは、照明オン状態から投影オン状態への遷移である。
【０１６８】
Ｔ６２２の時点では、光源４１０は点灯していて、変調パネル４２０は黒画像を変調しているので、光が出力されない。
【０１６９】
制御回路４５０は、拡散弁検出回路４４２で可動式拡散板４３０の位置を検出させる。
【０１７０】
そして、可動式拡散板４３０の位置が、拡散が無効な状態で無い場合は、拡散板駆動回路４４１を制御して、拡散板駆動機構４４０によって、可動式拡散板４３０は無効な状態にする（検出点Ｐ６６１）。
【０１７１】
Ｔ６２３の時点では、可動式拡散板４３０は無効の状態である。
【０１７２】
そして、Ｔ６３０の時点では、変調パネル４２０は再生画像を変調しているので、再生画像の拡散されていない光が出力される。
【０１７３】
Ｔ６３０からＴ６３１までは、投影オン状態である。
【０１７４】
Ｔ６３１からＴ６４０では、投影オン状態から照明オン状態への遷移である。
【０１７５】
Ｔ６３２の時点では、変調パネル４２０は黒画像を変調しているので、光が出力されない。
【０１７６】
制御回路４５０は、拡散弁検出回路４４２で可動式拡散板４３０の位置を検出させる。
【０１７７】
そして、可動式拡散板４３０の位置が、拡散が有効な状態で無い場合は、拡散板駆動回路４４１を制御して、拡散板駆動機構４４０によって、可動式拡散板４３０は有効な状態にする（検出点Ｐ６６１）。
【０１７８】
Ｔ６３３の時点では、可動式拡散板４３０は無効の状態である。
【０１７９】
そして、Ｔ６４０の時点では、光源４１０は点灯していて、変調パネル４２０は白画像を変調していて、可動式拡散板４３０が有効な状態なので、白色の拡散された光が出力される。
【０１８０】
Ｔ６４０からＴ６４１までは、照明オン状態である。
【０１８１】
Ｔ６４１からＴ６５０までは、照明オン状態から電源オフ状態への遷移である。
【０１８２】
Ｔ６４２の時点では、光源４１０は点灯しているが、変調パネル４２０は黒画像を変調しているので、光は出力されない。
【０１８３】
Ｔ６４３の時点では、光源４１０が消灯しているので、光は出力されない。
【０１８４】
そして、Ｔ６５０の時点では、変調パネル４２０がオフされて、電源オフ状態となる。
【０１８５】
以上、説明したように、本発明による照明兼用投影装置では、可動式拡散板４３０を有効な状態から無効な状態、あるいは、無効な状態から有効な状態に制御するときと、変調パネル４２０の変調が黒画像を変調している。
【０１８６】
上記制御することにより、可動式拡散板４３０の位置が有効な状態でも無効な状態でもないときに、意図せぬ反射が発生することを防ぐことができる。
【符号の説明】
【０１８７】
１１０  光源
１２０  変調パネル
１３０  拡散パネル
１１１  光源駆動回路
１２１  映像受信回路
１２２  映像再生回路
１２３  変調パネル駆動回路
１３１  拡散パネル駆動回路
１５０  制御回路
１５１  リモコン受信回路
４１０  光源
４２０  変調パネル
４３０  可動式拡散板
４４０  拡散板駆動機構
４１１  光源駆動回路
４２１  映像受信回路
４２２  映像再生回路
４２３  変調パネル駆動回路
４４１  拡散板駆動回路
４４２  拡散板検出回路
４５０  制御回路
４５１  リモコン受信回路
【図１】
2019075662.tif 000003
【図２】
2019075662.tif 000004
【図３】
2019075662.tif 000005
【図４】
2019075662.tif 000006
【図５】
2019075662.tif 000007
【図６】
2019075662.tif 000008